(57)【要約】【課題】緊急放送の内容に応じて、ユーザ毎に適正な情報を報知する。【解決手段】放送受信機のＣＰＵ１５は、制御信号受信部１０によって受信された重要度情報が予め設定された重要度の範囲内であるか否かを判定する重要度判定部１５２と、予め設定された重要度の範囲内であると判定された場合に、制御信号受信部１０を介して緊急放送に含まれる文字列情報を取得する文字取得部１５３と、取得された文字列情報に含まれる登録単語の出現回数を登録単語毎にカウントするカウント部１５４と、カウントされた出現回数が予め設定された閾値回数以上であるか否かを登録単語毎に判定する回数判定部１５５と、閾値回数以上であると判定された登録単語に対応する緊急時表示情報を登録情報記憶部１６１から読み出してディスプレイ１４１に表示する表示制御部１５６と、を備えている。【選択図】図２
2008311750.tif 000002
【特許請求の範囲】
【請求項１】
テレビジョン放送を受信し、受信された映像をモニタに出力する放送受信装置であって、
緊急放送が受信された場合にモニタに表示する情報である緊急時表示情報を、緊急放送の内容を判別する登録単語情報と対応付けて格納する登録情報記憶手段と、
緊急放送の重要性の程度を示す情報である重要度情報（ａｌｅｒｔ＿ｐｒｉｏｒｉｔｙ）を受信する緊急放送受信手段と、
前記緊急放送受信手段によって受信された重要度情報が、予め設定された重要度の範囲内であるか否かを判定する重要度判定手段と、
前記重要度判定手段によって予め設定された重要度の範囲内であると判定された場合に、前記緊急放送受信手段を介して、緊急放送に含まれる文字列情報を取得する文字取得手段と、
前記文字取得手段によって取得された文字列情報に含まれ、前記登録情報記憶手段に格納された登録単語の出現回数を、登録単語毎にカウントするカウント手段と、
前記カウント手段によってカウントされた出現回数が予め設定された閾値回数以上であるか否かを登録単語毎に判定する回数判定手段と、
閾値回数以上であると判定された登録単語に対応する緊急時表示情報を前記登録情報記憶手段から読み出してモニタに表示する表示制御手段と、
を備えることを特徴とする放送受信装置。
【請求項２】
外部からの操作入力を受け付けて、受け付けられた操作入力に基づいて、前記緊急時表示情報及び登録単語情報の少なくとも一方を生成し、前記登録情報記憶手段に格納する登録情報生成手段を備えることを特徴とする請求項１に記載の放送受信装置。
【請求項３】
前記登録情報記憶手段は、登録単語として、地震、火災、及び、洪水の内、少なくとも１の単語を格納することを特徴とする請求項１又は請求項２に記載の放送受信装置。
【請求項４】
前記登録情報記憶手段は、緊急時表示情報として、避難先の場所を示す情報である避難先場所情報、及び、避難先の電話番号を示す情報である避難先電話番号情報の少なくとも一方を格納することを特徴とする請求項１〜請求項３のいずれかに記載の放送受信装置。
【請求項５】
前記緊急放送受信手段は、ケーブルを介して情報を受信し、
前記緊急放送受信手段は、放送信号の周波数帯域とは異なる予め設定された特定の周波数帯域を介して、重要度情報を受信することを特徴とする請求項１〜請求項４のいずれかに記載の放送受信装置。
【発明の詳細な説明】
【技術分野】
【０００１】
本発明は、テレビジョン放送を受信し、受信された映像をモニタに出力する放送受信装置に関する。
【背景技術】
【０００２】
近年、デジタル放送の普及に伴い、緊急放送を確実にユーザに伝えるための種々の装置、方法等が提案されている。例えば、緊急放送番組の発生を検出した場合には、その緊急放送番組を録画し、録画開始直後あるいは録画終了直後にユーザに対して前記緊急放送番組の発生を装置の表示部へのメッセージ表示、あるいは光、警報音の発生により通知するデジタル放送録画再生装置が開示されている（特許文献１参照）。
【特許文献１】特開２００６−１０９１２２号公報
【発明の開示】
【発明が解決しようとする課題】
【０００３】
一方、北米ではケーブルテレビのデジタル化に伴い、緊急度によってＯＯＢ（Ｏｕｔ  Ｏｆ  Ｂａｎｄ）からのデータ信号内に緊急放送の重要性の程度を示す情報である重要度情報（ａｌｅｒｔ＿ｐｒｉｏｒｉｔｙ）が送信され、重要度情報が「１５」である場合には、緊急放送が放送されているチャンネルへ強制的に変更することが義務化されている（ＡＮＳＩ  Ｊ−ＳＴＤ−０４２、Ｅｍｅｒｇｅｎｃｙ  Ａｌｅｒｔ  Ｍｅｓｓａｇｅ  ｆｏｒ  Ｃａｂｌｅ、Ｄｅｃｅｍｂｅｒ  ２００２）。
【０００４】
しかしながら、上記デジタル放送録画再生装置等の従来の放送受信装置においては、緊急放送がされていることが報知され、ユーザは緊急放送を視聴することが可能となるものの、個々のユーザにとって必要な情報が放送される訳ではないので、緊急放送の内容に応じて適切な行動ができない場合がある。すなわち、例えば、地震が発生している場合に、避難場所等の情報は、ユーザの住所によって相違するため、緊急放送から取得することは困難である。
【０００５】
本発明は、上記課題に鑑みてなされたものであって、緊急放送の内容に応じて、ユーザ毎に適正な情報を報知することの可能な放送受信装置を提供することを目的としている。
【課題を解決するための手段】
【０００６】
上記目的を達成するために請求項１に記載の放送受信装置は、テレビジョン放送を受信し、受信された映像をモニタに出力する放送受信装置であって、緊急放送が受信された場合にモニタに表示する情報である緊急時表示情報を、緊急放送の内容を判別する登録単語情報と対応付けて格納する登録情報記憶手段と、緊急放送の重要性の程度を示す情報である重要度情報（ａｌｅｒｔ＿ｐｒｉｏｒｉｔｙ）を受信する緊急放送受信手段と、前記緊急放送受信手段によって受信された重要度情報が、予め設定された重要度の範囲内であるか否かを判定する重要度判定手段と、前記重要度判定手段によって予め設定された重要度の範囲内であると判定された場合に、前記緊急放送受信手段を介して、緊急放送に含まれる文字列情報を取得する文字取得手段と、前記文字取得手段によって取得された文字列情報に含まれ、前記登録情報記憶手段に格納された登録単語の出現回数を、登録単語毎にカウントするカウント手段と、前記カウント手段によってカウントされた出現回数が予め設定された閾値回数以上であるか否かを登録単語毎に判定する回数判定手段と、閾値回数以上であると判定された登録単語に対応する緊急時表示情報を前記登録情報記憶手段から読み出してモニタに表示する表示制御手段と、を備えることを特徴としている。
【０００７】
請求項２に記載の放送受信装置は、請求項１に記載の放送受信装置であって、外部からの操作入力を受け付けて、受け付けられた操作入力に基づいて、前記緊急時表示情報及び登録単語情報の少なくとも一方を生成し、前記登録情報記憶手段に格納する登録情報生成手段を備えることを特徴としている。
【０００８】
請求項３に記載の放送受信装置は、請求項１又は請求項２に記載の放送受信装置であって、前記登録情報記憶手段が、登録単語として、地震、火災、及び、洪水の内、少なくとも１の単語を格納することを特徴としている。
【０００９】
請求項４に記載の放送受信装置は、請求項１〜請求項３のいずれかに記載の放送受信装置であって、前記登録情報記憶手段が、緊急時表示情報として、避難先の場所を示す情報である避難先場所情報、及び、避難先の電話番号を示す情報である避難先電話番号情報の少なくとも一方を格納することを特徴としている。
【００１０】
請求項５に記載の放送受信装置は、請求項１〜請求項４のいずれかに記載の放送受信装置であって、前記緊急放送受信手段が、ケーブルを介して情報を受信し、前記緊急放送受信手段が、放送信号の周波数帯域とは異なる予め設定された特定の周波数帯域を介して、重要度情報を受信することを特徴としている。
【発明の効果】
【００１１】
請求項１に記載の放送受信装置によれば、登録情報記憶手段に、緊急放送が受信された場合にモニタに表示する情報である緊急時表示情報が、緊急放送の内容を判別する登録単語情報と対応付けて予め格納されており、緊急放送受信手段によって、緊急放送の重要性の程度を示す情報である重要度情報（ａｌｅｒｔ＿ｐｒｉｏｒｉｔｙ）が受信される。また、緊急放送受信手段によって受信された重要度情報が、予め設定された重要度の範囲内であるか否かが判定され、予め設定された重要度の範囲内であると判定された場合に、緊急放送受信手段を介して、緊急放送に含まれる文字列情報が取得される。そして、取得された文字列情報に含まれ、登録情報記憶手段に格納された登録単語の出現回数が、登録単語毎にカウントされ、カウントされた出現回数が予め設定された閾値回数以上であるか否かが登録単語毎に判定される。更に、閾値回数以上であると判定された場合に、閾値回数以上であると判定された登録単語に対応する緊急時表示情報が登録情報記憶手段から読み出されてモニタに表示されるため、緊急放送の内容に応じて、ユーザ毎に適正な情報を報知することができる。
【００１２】
すなわち、登録情報記憶手段に、緊急放送が受信された場合にモニタに表示する情報である緊急時表示情報が、緊急放送の内容を判別する登録単語情報と対応付けて予め格納されており、緊急放送受信手段によって受信された重要度情報が、予め設定された重要度以上であると判定された場合に、緊急放送受信手段を介して、緊急放送に含まれる文字列情報が取得され、取得された文字列情報に含まれ、登録情報記憶手段に格納された登録単語の出現回数が、登録単語毎にカウントされ、カウントされた出現回数が閾値回数以上であると判定された登録単語に対応する緊急時表示情報が登録情報記憶手段から読み出されてモニタに表示されるため、ユーザがモニタに表示することを所望する緊急時表示情報を、緊急放送の内容を判別する登録単語情報と対応付けて登録情報記憶手段に予め格納しておくことによって、緊急放送の内容に応じて、ユーザ毎に適正な情報を報知することができるのである。
【００１３】
請求項２に記載の放送受信装置によれば、外部からの操作入力が受け付けられて、受け付けられた操作入力に基づいて、緊急時表示情報及び登録単語情報の少なくとも一方が生成され、登録情報記憶手段に格納されるため、ユーザがモニタに表示することを所望する緊急時表示情報を、緊急放送の内容を判別する登録単語情報と対応付けて登録情報記憶手段に予め格納しておくことができるので、緊急放送の内容に応じて、ユーザ毎に更に適正な情報を報知することができる。
【００１４】
請求項３に記載の放送受信装置によれば、登録情報記憶手段に、登録単語として、地震、火災、及び、洪水の内、少なくとも１の単語が格納されているため、登録単語としてユーザにとって重要度の高い単語が登録情報記憶手段に格納されているので、利便性を向上することができる。
【００１５】
請求項４に記載の放送受信装置によれば、登録情報記憶手段に、緊急時表示情報として、避難先の場所を示す情報である避難先場所情報、及び、避難先の電話番号を示す情報である避難先電話番号情報の少なくとも一方が格納されているため、緊急時表示情報として、ユーザにとって重要度の高い情報が登録情報記憶手段に格納されているので、更に利便性を向上することができる。
【００１６】
請求項５に記載の放送受信装置によれば、緊急放送受信手段によって、ケーブルを介して情報が受信され、緊急放送受信手段によって、放送信号の周波数帯域とは異なる予め設定された特定の周波数帯域を介して、重要度情報が受信されるため、確実に重要度情報を受信することができる。
【発明を実施するための最良の形態】
【００１７】
以下に本発明の実施形態を、図面を参照しながら説明する。図１は、本発明に係る放送受信機の構成の一例を示すブロック図である。放送受信機１は、ケーブルを介してアナログ放送及びテレビジョン放送を受信し、ディスプレイ１４１に出力するものであって、制御信号受信部１０、放送受信部１１、ＭＰＥＧ２デコーダ１２、ＮＴＳＣデコーダ１３、出力部１４、ディスプレイ１４１、ＣＰＵ１５、メモリ１６、復号部１７、及び、操作部１８を備えている。また、放送受信機１は、ＰＣＭＣＩＡカード２が着脱自在に構成され、ＰＣＭＣＩＡカード２との間で通信可能に構成されている。
【００１８】
制御信号受信部１０（緊急放送受信手段に相当する）は、チューナ部１０１及び復調部１０２を備え、ケーブルを介して緊急放送の重要性の程度を示す情報である重要度情報（ａｌｅｒｔ＿ｐｒｉｏｒｉｔｙ）等を受信するものである。また、制御信号受信部１０は、放送信号の周波数帯域（＝インバンド）とは異なる予め設定された特定の周波数帯域（＝ＯＯＢ（Ｏｕｔ  Ｏｆ  Ｂａｎｄ）：７０〜１３０ＭＨｚ）を介して、重要度情報等を受信するものである。また、制御信号受信部１０は、ケーブルを介して受信した重要度情報等の情報をＰＣＭＣＩＡカード２（ＣＰＵ２１）へ出力するものである。
【００１９】
チューナ部１０１は、ケーブルを介して特定の周波数帯域（＝ＯＯＢ（Ｏｕｔ  Ｏｆ  Ｂａｎｄ）：７０〜１３０ＭＨｚ）の信号を受信するものである。復調部１０２は、チューナ部１０１からの重要度情報等の出力情報を復調し、復調された情報をＰＣＭＣＩＡカード２（ＣＰＵ２１）へ出力するものである。
【００２０】
放送受信部１１は、ケーブルを介してテレビジョン放送を受信して復調するものであって、チューナ部１１１、復調部１１２、及び、ＴＳデマルチプレクサ１１３を備えている。
【００２１】
チューナ部１１１は、ケーブルを介してテレビジョン放送波から、予め設定されたチャンネルの放送を選局するものである。復調部１１２は、チューナ部１１１からの出力情報を復調するものである。なお、チューナ部１１１を介して暗号化されたデジタル放送を受信する場合には、復調部１１２は、復調された情報をＰＣＭＣＩＡカード２（復号部２３）へ出力し、チューナ部１１１を介して暗号化されていないデジタル放送を受信する場合には、復調部１１２は、復調された情報をＴＳデマルチプレクサ１１３へ出力するものである。
【００２２】
ＴＳ（Ｔｒａｎｓｐｏｒｔ  Ｓｔｒｅａｍ）デマルチプレクサ１１３は、復調部１１２によって復調された出力情報を種別毎に分離して出力するものである。ＭＰＥＧ（Ｍｏｔｉｏｎ  Ｐｉｃｔｕｒｅ  Ｅｘｐｅｒｔｓ  Ｇｒｏｕｐ）２デコーダ１２は、ＴＳデマルチプレクサ１１３から出力された映像情報を圧縮前の映像情報に復号化するものである。
【００２３】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）デコーダ１３は、アナログ放送からのＮＴＳＣ方式のテレビジョン信号（＝ＣＶＢＳ（Ｃｏｍｐｏｓｉｔｅ  Ｖｉｄｅｏ  Ｂａｓｅｂａｎｄ  Ｓｉｇｎａｌ）信号）を映像情報（＝ＣＣＩＲ６５６）に変換するものである。
【００２４】
出力部１４は、ＭＰＥＧ２デコーダ１２によって復号化された映像情報、又は、ＮＴＳＣデコーダ１３からの映像情報をディスプレイ１４１に対して出力するものである。ディスプレイ１４１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１４から出力された映像情報に対応する映像を表示するものである。
【００２５】
ＣＰＵ（Ｃｅｎｔｒａｌ  Ｐｒｏｃｅｓｓｉｎｇ  Ｕｎｉｔ）１５は、放送受信機１全体の動作を制御するものである。メモリ１６は、ＲＡＭ（Ｒａｎｄｏｍ  Ａｃｃｅｓｓ  Ｍｅｍｏｒｙ）等からなり、登録単語情報等の種々の情報を格納するものである。復号部１７は、ＰＣＭＣＩＡカード２（暗号化部２４）からの暗号化されたＴＳ（Ｔｒａｎｓｐｏｒｔ  Ｓｔｒｅａｍ）を複合化し、複合化されたＴＳをＴＳデマルチプレクサ１１３へ出力するものである。操作部１８（登録情報生成手段の一部に相当する）は、種々のキーを備え、キーの押下を介して、ユーザからの操作入力を受け付けて、受け付けられた操作入力情報をＣＰＵ１５へ出力するものである。
【００２６】
ＰＣＭＣＩＡカード２（重要度判定手段の一部、文字取得手段の一部）は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したＩＣ（Ｉｎｔｅｇｒａｔｅｄ  Ｃｉｒｃｕｉｔ）カードであって、放送受信部１１から暗号化されたデジタル放送が受信された場合に、受信された暗号化されたデジタル放送を復号化するものである。また、ＰＣＭＣＩＡカード２は、ＣＰＵ２１、メモリ２２、復号部２３、及び、暗号化部２４を備えている。
【００２７】
ＣＰＵ２１は、放送受信機１に配設されたＣＰＵ１５と通信可能に接続され、ＰＣＭＣＩＡカード２全体の制御を行うものである。また、ＣＰＵ２１は、制御信号受信部１０を介して受信された重要度情報（ａｌｅｒｔ＿ｐｒｉｏｒｉｔｙ）、文字列情報等を放送受信機１のＣＰＵ１５に出力すると共に、放送受信部１１を介して受信された暗号化されたデジタル放送の映像情報等を復号部２３及び暗号化部２４を介して復号部１７へ出力するものである。メモリ２２は、フラッシュメモリ等の不揮発性メモリであって、復号部２３が復号化処理を実行するためのファームウェア情報等を格納するものである。
【００２８】
復号部２３は、放送受信部１１から暗号化されたデジタル放送が受信された場合に、ＣＰＵ２１を介して復調部１１２から入力される暗号化されたデジタル放送を復号化し、復号化された映像情報を、暗号化部２４を介してＴＳ（Ｔｒａｎｓｐｏｒｔ  Ｓｔｒｅａｍ）デマルチプレクサ１１３へ出力するものである。暗号化部２４は、復号部２３によって復号化された映像情報を暗号化し、暗号化された映像情報を復号部１７へ出力するものである。
【００２９】
図２は、図１に示す放送受信機１における主要部の機能構成の一例を示す構成図である。ＣＰＵ１５は、機能的に、登録情報生成部１５１、重要度判定部１５２、文字取得部１５３、カウント部１５４、回数判定部１５５、及び、表示制御部１５６を備え、メモリ１６は、機能的に、登録情報記憶部１６１を備えている。
【００３０】
ここでは、ＣＰＵ１５が、図略のＲＯＭ（Ｒｅａｄ  Ｏｎｌｙ  Ｍｅｍｏｒｙ）等に予め格納された制御プログラムを読み出して実行することにより、登録情報生成部１５１、重要度判定部１５２、文字取得部１５３、カウント部１５４、回数判定部１５５、表示制御部１５６等の機能部として機能すると共に、メモリ１６を、登録情報記憶部１６１等の機能部として機能させるものである。
【００３１】
また、メモリ１６、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３２】
登録情報記憶部１６１（登録情報記憶手段に相当する）は、緊急放送が受信された場合にディスプレイ１４１に表示する情報である緊急時表示情報を、緊急放送の内容を判別する登録単語情報と対応付けて予め格納するものである。また、登録情報記憶部１６１に格納される登録単語情報及び緊急時表示情報は、登録情報生成部１５１によって生成されて格納されるものである。具体的には、登録情報記憶部１６１は、登録単語として、少なくとも「地震（＝ｅａｒｔｈｑｕａｋｅ、ｓｈｏｃｋ）」、「火災（＝ｆｉｒｅ）」、及び、「洪水（＝ｆｌｏｏｄ）」を予め格納するものである。
【００３３】
また、登録情報記憶部１６１は、緊急時表示情報として、避難先の場所を示す情報である避難先場所情報、及び、避難先の電話番号を示す情報である避難先電話番号情報を、登録単語情報と対応付けて予め格納するものである。なお、登録情報記憶部１６１に格納された登録単語情報は、カウント部１５４によって読み出されるものであり、登録情報記憶部１６１に格納された緊急時表示情報は、表示制御部１５６によって読み出されるものである。
【００３４】
登録情報生成部１５１（登録情報生成手段の一部に相当する）は、操作部１８を介してユーザからの操作入力を受け付けて、受け付けられた操作入力に基づいて、緊急時表示情報及び登録単語情報を生成し、生成された緊急時表示情報及び登録単語情報を登録情報記憶部１６１に格納するものである。
【００３５】
重要度判定部１５２（重要度判定手段の一部に相当する）は、制御信号受信部１０及びＰＣＭＣＩＡカード２を介して受信された重要度情報が、予め設定された重要度の範囲内であるか否かを判定するものである。ここでは、制御信号受信部１０及びＰＣＭＣＩＡカード２を介して受信された重要度情報（ａｌｅｒｔ＿ｐｒｉｏｒｉｔｙ）の示す重要度が「１」〜「１１」の範囲内である場合に、予め設定された重要度の範囲内であると判定するものである。
【００３６】
図３は、重要度情報の一例を示す図表である（ＡＮＳＩ  Ｊ−ＳＴＤ−０４２、Ｅｍｅｒｇｅｎｃｙ  Ａｌｅｒｔ  Ｍｅｓｓａｇｅ  ｆｏｒ  Ｃａｂｌｅ、Ｄｅｃｅｍｂｅｒ  ２００２参照）。図の左側の欄は、重要度を示す数値であり、中央の欄は、各重要度情報の意味であり、右側の欄は、音声出力が要求されるか否かを示すものである。図に示すように、重要度を示す数値は、「０」〜「１５」のいずれかに設定されており、重要度が「１」〜「１１」の範囲内である場合（＝ａｌｅｒｔ＿ｐｒｉｏｒｉｔｙが「１」〜「１１」の範囲内である場合）、ディスプレイ１４１上に緊急放送の内容を示すテキストをスクロール表示することが義務化されている。なお、緊急放送の内容を示すテキスト情報は、ＯＯＢを介して放送され、制御信号受信部１０によって受信される。
【００３７】
また、重要度が「１５」である場合（＝ａｌｅｒｔ＿ｐｒｉｏｒｉｔｙが「１５」である場合：最重要（Ｍａｘｉｍｕｍ  ｐｒｉｏｒｉｔｙ）である場合）には、緊急放送が放送されているチャンネルへ強制的に変更することが義務化されている。
【００３８】
再び、図２に戻って、ＣＰＵ１５の機能構成について説明する。文字取得部１５３（文字取得手段の一部に相当する）は、重要度判定部１５２によって予め設定された重要度の範囲内である（ここでは、ａｌｅｒｔ＿ｐｒｉｏｒｉｔｙが「１」〜「１１」の範囲内である）と判定された場合に、制御信号受信部１０を介して、緊急放送の内容を示す文字列情報（＝テキスト情報）を取得するものである。
【００３９】
カウント部１５４（カウント手段に相当する）は、文字取得部１５３によって取得された文字列情報に含まれ、登録情報記憶部１６１に格納された登録単語の出現回数を、登録単語毎にカウントするものである。
【００４０】
回数判定部１５５（回数判定手段に相当する）は、カウント部１５４によってカウントされた出現回数が予め設定された閾値回数（例えば、１０回）以上であるか否かを文字列情報に含まれ、登録情報記憶部１６１に格納された登録単語毎に判定するものである。
【００４１】
表示制御部１５６（表示制御手段に相当する）は、回数判定部１５５によって閾値回数（ここでは、１０回）以上であると判定された場合に、閾値回数以上であると判定された登録単語に対応する緊急時表示情報を登録情報記憶部１６１から読み出してディスプレイ１４１に表示するものである。
【００４２】
図４、図５（ａ）は、登録情報生成部１５１によってディスプレイ１４１に表示される登録情報入力画面の一例を示す画面図である。図４（ａ）、（ｂ）は、それぞれ、登録項目を選択する登録項目選択第１画面３００、及び、登録項目選択第２画面３１０である。図５（ａ）は、登録情報を入力可能に表示する登録情報入力画面３２０である。図４（ａ）に示す登録項目選択第１画面３００には、画面略中央部に、項目表示部３０１が表示され、項目表示部３０１の左側に、選択マーク３０２が表示されている。また、画面下部に、選択ボタン３０３、及び、キャンセルボタン３０４が表示されている。
【００４３】
項目表示部３０１は、緊急放送の内容を示す緊急項目情報を選択可能に表示するものであって、選択マーク３０２は、選択されている緊急項目を示すマークである。ここでは、項目表示部３０１に表示された緊急項目の内、「１．火事」の左側に選択マーク３０２が表示され、緊急項目として「１．火事」が選択されている。
【００４４】
選択ボタン３０３は、選択マーク３０２によって選択されている緊急項目を選択する場合に押下されるボタンであって、キャンセルボタン３０４は、選択マーク３０２によって選択されている緊急項目をキャンセルする場合に押下されるボタンである。選択ボタン３０３が押下された場合には、選択されている緊急項目に対応する登録項目選択第２画面３１０がディスプレイ１４１に表示される。
【００４５】
図４（ｂ）に示す登録項目選択第２画面３１０には、画面略中央部に、項目表示部３１１が表示され、項目表示部３１１の上側に、選択マーク３１２が表示されている。また、画面下部に、選択ボタン３１３、及び、キャンセルボタン３１４が表示されている。
【００４６】
項目表示部３１１は、登録する情報を選択可能に表示するものであって、選択マーク３１２は、選択されている登録項目を示すマークである。ここでは、項目表示部３１１に表示された登録項目の内、「避難先（場所）」の右側に選択マーク３１２が表示され、登録項目として「避難先（場所）」が選択されている。
【００４７】
選択ボタン３１３は、選択マーク３１２によって選択されている登録項目を選択する場合に押下されるボタンであって、キャンセルボタン３１４は、選択マーク３１２によって選択されている登録項目をキャンセルする場合に押下されるボタンである。選択ボタン３１３が押下された場合には、選択されている登録項目に対応する登録情報入力画面３２０がディスプレイ１４１に表示される。
【００４８】
図５（ａ）に示す登録情報入力画面３２０には、画面略中央部に、文字選択部３２１が表示され、文字選択部３２１の上側に、入力情報表示部３２２が表示され、文字選択部３２１の下側に、選択マーク３２３が表示されている。また、画面下部に、選択ボタン３２４、変換ボタン３２５、登録ボタン３２６、及び、キャンセルボタン３２７が表示されている。
【００４９】
文字選択部３２１は、入力する文字情報を選択可能に表示するものであって、選択マーク３２３は、選択されている文字情報を示すマークである。ここでは、文字選択部３２１に表示された文字の内、「Ｕ」の下側に選択マーク３２３が表示され、入力する文字情報として「Ｕ」が選択されている。入力情報表示部３２２は、入力された文字情報を表示するものである。
【００５０】
選択ボタン３２４は、選択マーク３２３によって選択されている文字を入力する場合に押下されるボタンであって、変換ボタン３２５は、入力情報表示部３２２に表示された変換前の文字（＝アルファベット）を漢字に変換する場合に押下されるボタンである。登録ボタン３２６は、入力情報表示部３２２に表示されている情報を登録する（＝登録情報記憶部１６１に格納する）場合に押下されるボタンであって、キャンセルボタン３２７は、入力情報表示部３２２に表示されている情報をキャンセルする場合に押下されるボタンである。キャンセルボタン３２７が押下された場合には、図４（ｂ）に示す登録項目選択第２画面３１０がディスプレイ１４１に表示される。
【００５１】
このようにして、ユーザは、図４（ａ）に示す登録項目選択第１画面３００、図４（ｂ）に示す登録項目選択第２画面３１０、及び、図５（ａ）に示す登録情報入力画面３２０を介して、登録情報記憶部１６１に緊急時表示情報を格納することができる。また、同様にして、ユーザは、ディスプレイ１４１に表示された画面情報を介して登録情報記憶部１６１に登録単語情報を格納することができる。
【００５２】
図６は、放送受信機１（主にＣＰＵ１５）の動作の一例を示すフローチャートである。なお、ここでは、便宜上、登録情報記憶部１６１に、緊急時表示情報が登録単語情報と対応付けて予め格納されている場合について説明する。まず、重要度判定部１５２によって、制御信号受信部１０を介して重要度情報が受信されたか否かの判定が行われる（Ｓ１０１）。重要度情報が受信されていないと判定された場合（Ｓ１０１でＮＯ）には、処理が待機状態とされる。重要度情報が受信されたと判定された場合（Ｓ１０１でＹＥＳ）には、重要度判定部１５２によって、ステップＳ１０１において受信された重要度情報が、予め設定された重要度の範囲内であるか否か（ここでは、重要度情報（ａｌｅｒｔ＿ｐｒｉｏｒｉｔｙ）の示す重要度が「１」〜「１１」の範囲内であるか否か）が判定される（Ｓ１０３）。
【００５３】
予め設定された重要度の範囲内ではないと判定された場合（Ｓ１０３でＮＯ）には、処理がステップＳ１０１に戻され、ステップＳ１０１以降の処理が繰り返し実行される。予め設定された重要度の範囲内であると判定された場合（Ｓ１０３でＹＥＳ）には、文字取得部１５３によって、文字列情報が取得される（Ｓ１０５）。そして、カウント部１５４によって、ステップＳ１０５において取得された文字列情報に含まれ、登録情報記憶部１６１に格納された登録単語の出現回数がカウントされる（Ｓ１０７）。次いで、回数判定部１５５によって、ステップＳ１０７においてカウントされた出現回数が予め設定された閾値回数（ここでは、１０回）以上であるか否かが、登録情報記憶部１６１に格納された登録単語毎に判定される（Ｓ１０９）。
【００５４】
出現回数が閾値回数以上ではないと判定された場合（Ｓ１０９でＮＯ）には、処理がステップＳ１０５に戻され、ステップＳ１０５以降の処理が繰り返し実行される。出現回数が閾値回数以上であると判定された場合（Ｓ１０９でＹＥＳ）には、表示制御部１５６によって、ステップＳ１０９において閾値回数以上であると判定され、登録情報記憶部１６１に格納された登録単語に対応する緊急時表示情報が登録情報記憶部１６１から読み出すことにより生成される（Ｓ１１１）。そして、表示制御部１５６によって、ステップＳ１１１において生成された緊急時表示情報に対応する文字情報がディスプレイ１４１に表示され（Ｓ１１３）、処理が終了される。
【００５５】
図５（ｂ）は、図６に示すフローチャートのステップＳ１１３において表示される緊急情報表示画面の一例を示す画面図である。緊急情報表示画面３３０には、画面上部に、緊急項目表示部３３１が表示され、画面略中央部に、登録情報表示部３３２が表示され、画面下部には、確認ボタン３３３が表示されている。
【００５６】
緊急項目表示部３３１は、緊急放送の内容を示す緊急項目情報を表示するものである。ここでは、「火災が発生しました。避難してください。」と表示されている。すなわち、図５（ｂ）に示す緊急情報表示画面３３０は、図６に示すフローチャートのステップＳ１０９において閾値回数以上であると判定され、登録情報記憶部１６１に格納された登録単語が、「火災の発生」を示すもの（例えば、「ｆｉｒｅ」等）である場合に表示される画面である。
【００５７】
登録情報表示部３３２は、緊急項目表示部３３１に表示された緊急項目に対応する緊急時表示情報を表示するものである。すなわち、図６に示すフローチャートのステップＳ１０９において閾値回数以上であると判定され、登録情報記憶部１６１に格納された登録単語に対応する緊急時表示情報を表示するものである。ここでは、登録情報表示部３３２には、緊急時表示情報として、「避難先（場所）」及び「避難先（電話番号）」が表示されている。
【００５８】
確認ボタン３３３は、ユーザが緊急情報表示画面３３０に表示された内容を確認し、ディスプレイ１４１に放送受信部１１を介して受信された映像を表示する場合に押下されるボタンである。
【００５９】
このようにして、登録情報記憶部１６１に、緊急放送が受信された場合にディスプレイ１４１に表示する情報である緊急時表示情報が、緊急放送の内容を判別する登録単語情報と対応付けて予め格納されており、制御信号受信部１０によって、緊急放送の重要性の程度を示す情報である重要度情報（ａｌｅｒｔ＿ｐｒｉｏｒｉｔｙ）が受信される。また、制御信号受信部１０によって受信された重要度情報が、予め設定された重要度の範囲内であるか否か（ここでは、ａｌｅｒｔ＿ｐｒｉｏｒｉｔｙが「１」〜「１１」の範囲内であるか否か）が判定され、予め設定された重要度の範囲内であると判定された場合に、制御信号受信部１０を介して、緊急放送に含まれる文字列情報が取得される。そして、取得された文字列情報に含まれ、登録情報記憶部１６１に格納された登録単語の出現回数が、登録単語毎にカウントされ、カウントされた出現回数が予め設定された閾値回数（ここでは、１０回）以上であるか否かが登録単語毎に判定される。更に、閾値回数以上であると判定された場合に、閾値回数以上であると判定された登録単語に対応する緊急時表示情報が登録情報記憶部１６１から読み出されてディスプレイ１４１に表示されるため、緊急放送の内容に応じて、ユーザ毎に適正な情報を報知することができる。
【００６０】
すなわち、登録情報記憶部１６１に、緊急放送が受信された場合にディスプレイ１４１に表示する情報である緊急時表示情報が、緊急放送の内容を判別する登録単語情報と対応付けて予め格納されており、制御信号受信部１０によって受信された重要度情報が、予め設定された重要度の範囲内である（ここでは、ａｌｅｒｔ＿ｐｒｉｏｒｉｔｙが「１」〜「１１」の範囲内である）と判定された場合に、制御信号受信部１０を介して、緊急放送に含まれる文字列情報が取得され、取得された文字列情報に含まれ、登録情報記憶部１６１に格納された登録単語の出現回数が、登録単語毎にカウントされ、カウントされた出現回数が閾値回数（ここでは、１０回）以上であると判定された登録単語に対応する緊急時表示情報が登録情報記憶部１６１から読み出されてディスプレイ１４１に表示されるため、ユーザがディスプレイ１４１に表示することを所望する緊急時表示情報を、緊急放送の内容を判別する登録単語情報と対応付けて登録情報記憶部１６１に予め格納しておくことによって、緊急放送の内容に応じて、ユーザ毎に適正な情報を報知することができるのである。
【００６１】
また、操作部１８を介してユーザからの操作入力が受け付けられて、受け付けられた操作入力に基づいて、緊急時表示情報及び登録単語情報が生成され、登録情報記憶部１６１に格納されるため、ユーザがディスプレイ１４１に表示することを所望する緊急時表示情報を、緊急放送の内容を判別する登録単語情報と対応付けて登録情報記憶部１６１に予め格納しておくことができるので、緊急放送の内容に応じて、ユーザ毎に更に適正な情報を報知することができる。
【００６２】
更に、登録情報記憶部１６１に、登録単語として、地震、火災、及び、洪水が格納されているため、登録単語としてユーザにとって重要度の高い単語が登録情報記憶部１６１に格納されているので、利便性を向上することができる。
【００６３】
加えて、登録情報記憶部１６１に、緊急時表示情報として、避難先の場所を示す情報である避難先場所情報、及び、避難先の電話番号を示す情報である避難先電話番号情報が格納されているため、緊急時表示情報として、ユーザにとって重要度の高い情報が登録情報記憶部１６１に格納されているので、更に利便性を向上することができる。
【００６４】
また、制御信号受信部１０によって、ケーブルを介して情報が受信され、制御信号受信部１０によって、放送信号の周波数帯域とは異なる予め設定された特定の周波数帯域（＝ＯＯＢ（Ｏｕｔ  Ｏｆ  Ｂａｎｄ）：７０〜１３０ＭＨｚ）を介して、重要度情報が受信されるため、確実に重要度情報を受信することができる。
【００６５】
なお、本発明は、以下の形態にも適用可能である。
（Ａ）本実施形態では、放送受信装置が、アナログ放送及びデジタル放送を受信する放送受信機１である場合について説明したが、放送受信装置がデジタル放送及びデジタル放送の一方を受信する形態でもよい。
【００６６】
（Ｂ）本実施形態では、ＣＰＵ１５が、機能的に、登録情報生成部１５１、重要度判定部１５２、文字取得部１５３、カウント部１５４、回数判定部１５５、及び、表示制御部１５６を備える場合について説明したが、登録情報生成部１５１、重要度判定部１５２、文字取得部１５３、カウント部１５４、回数判定部１５５、及び、表示制御部１５６の内、少なくとも１の機能部が、回路等のハードウェアによって実現されている形態でもよい。
【図面の簡単な説明】
【００６７】
【図１】は、本発明に係る放送受信機の構成の一例を示すブロック図である。
【図２】は、図１に示す放送受信機における要部の機能構成の一例を示す構成図である。
【図３】は、重要度情報の一例を示す図表である。
【図４】は、登録情報生成部によってディスプレイに表示される登録項目選択画面の一例を示す画面図である。
【図５】は、登録情報生成部によってディスプレイに表示される登録情報入力画面、及び、表示制御部によって表示される緊急情報表示画面の一例を示す画面図である。
【図６】は、放送受信機（主にＣＰＵ）の動作の一例を示すフローチャートである。
【符号の説明】
【００６８】
１    放送受信機（放送受信装置）
１０    制御信号受信部（緊急放送受信手段）
１１    放送受信部
１２    ＭＰＥＧ２デコーダ
１３    ＮＴＳＣデコーダ
１４    出力部
１４１    ディスプレイ（モニタ）
１５    ＣＰＵ
１５１    登録情報生成部（登録情報生成手段の一部）
１５２    重要度判定部（重要度判定手段の一部）
１５３    文字取得部（文字取得手段の一部）
１５４    カウント部（カウント手段）
１５５    回数判定部（回数判定手段）
１５６    表示制御部（表示制御手段）
１６    メモリ
１６１    登録情報記憶部（登録情報記憶手段）
１７    復号部
１８    操作部（登録情報生成手段の一部）
２    ＰＣＭＣＩＡカード（重要度判定手段の一部、文字取得手段の一部）
２１    ＣＰＵ
２２    メモリ
２３    復号部
２４    暗号化部
【図１】
2008311750.tif 000003
【図２】
2008311750.tif 000004
【図３】
2008311750.tif 000005
【図４】
2008311750.tif 000006
【図５】
2008311750.tif 000007
【図６】
2008311750.tif 000008